(57)【要約】【課題】直線方向と回転方向の両方に操作可能でかつ厚み方向の小型化を図ることのできる多方向操作部品を提供する。【解決手段】ケース体１は、接点部１１を上面に有する下ケース３と、下ケースを覆う上ケース２とからなり、操作体４の上面側には回転体５が設けられ、ケース体１の内部には、操作体４の直線移動方向に対応した直線駆動スライダー３０と、操作体４の回転動作方向に対応した回転駆動スライダー３５と、直線駆動スライダー及び回転駆動スライダーと共にスライドする駆動体７と、駆動体７により揺動駆動され下ケースの接点部１１の状態を切替える接点部品８とが設けられ、直線駆動スライダー３０は上ケース２の上面から突出して操作体４に当接し、回転駆動スライダー３５は上ケース２の上面から突出して回転体５に当接する。【選択図】図２
2010232140.tif 000002
【特許請求の範囲】
【請求項１】
箱状のケース体と、該ケース体に対し所定方向に直線移動自在でかつ軸周りに回転可能な操作体と、前記ケース体内に納められ前記操作体の操作に伴って駆動される複数の接点部品とを有する多方向操作部品において、
前記ケース体は、前記操作体の操作方向にそれぞれ対応して設けられる接点部を上面に有する下ケースと、該下ケースを覆うと共に前記操作体を上面に載置する上ケースとからなり、
前記操作体は上方に突出する操作部と、前記上ケースの上面に当接する直線駆動押圧部と、前記操作部に挿通され前記直線駆動係合部の上面側に設けられる回転体に係合する係合部とを有し、前記回転体は前記操作部の回転に伴い揺動する回転駆動押圧部と、前記操作部が挿通され前記回転駆動押圧部による押圧方向に沿うように形成された開口部とを有し、
前記ケース体の内部には、前記操作体の直線移動方向にそれぞれ対応し該直線移動方向の駆動により平行にスライドする直線駆動スライダーと、前記操作体の回転動作方向にそれぞれ対応し該回転動作方向の駆動によりスライドする回転駆動スライダーと、前記直線駆動スライダー及び回転駆動スライダーと共にスライドする駆動体と、該駆動体のスライドによって揺動駆動され前記下ケースの接点部の状態を切替える前記接点部品とが設けられ、
前記直線駆動スライダーは前記上ケースの上面から突出して前記直線駆動押圧部に当接することで、前記操作体の直線移動に伴いスライド自在とされ、前記回転駆動スライダーは前記上ケースの上面から突出して前記回転駆動押圧部に当接することで、前記操作体の回転動作に伴いスライド自在とされることを特徴とする多方向操作部品。
【請求項２】
前記接点部品はシーソー状に揺動自在となるように前記下ケースに保持されてなることを特徴とする請求項１記載の多方向操作部品。
【請求項３】
前記駆動体は前記直線移動スライダーまたは回転動作スライダーに対して弾性体を介して前記接点部品側に付勢され、該接点部品は上面の中央領域に前記直線移動スライダーまたは回転動作スライダー側に突出する突部を有してなり、前記駆動体は前記直線移動スライダーまたは回転動作スライダーのスライドに伴い、前記接点部品の突部に沿って摺動し揺動駆動することを特徴とする請求項２記載の多方向操作部品。
【請求項４】
前記直線駆動スライダーは前記ケース体の内部でスライドする直線操作スライド部と、該直線操作スライド部に凸状に形成され前記上ケースの上面から突出する直線操作被押圧部とを備え、前記操作体の直線駆動押圧部は前記直線操作被押圧部の上端部を保持固定する保持部を有することを特徴とする請求項１〜３のいずれか１項に記載の多方向操作部品。
【請求項５】
前記回転駆動スライダーは前記ケース体の内部でスライドする回転操作スライド部と、該回転操作スライド部に凸状に形成され前記上ケースの上面から突出する回転操作被押圧部とを備え、該回転操作被押圧部は前記直線操作被押圧部よりも高く突出して、前記回転体の回転駆動押圧部に当接することを特徴とする請求項４記載の多方向操作部品。
【発明の詳細な説明】
【技術分野】
【０００１】
本発明は、車両においてシートやウインドウ等の装置を操作するのに用いられる多方向操作部品に関し、特に直線方向の操作と回転方向の操作とを一つの操作体で行うことのできる多方向操作部品に関する。
【背景技術】
【０００２】
従来、車両においてシートやウインドウ等の装置を操作するため、スイッチとなる操作体を直線方向や回転方向など多方向に操作することのできる多方向操作部品が知られている。操作体は、上下左右の直線移動と、左右の回転動作をなすことができるように構成されている。
【０００３】
このような多方向操作部品として、本願出願人は特許文献１に示すようなものを発明した。この多方向操作部品は、箱状のケース体と、ケース体に対し所定の一直線方向に移動自在でかつ軸周りに回転可能な操作体と、ケース体内に納められ操作体の操作に伴って駆動される複数の電気部品とを有して構成されている。また、操作体は、ケース体の外部に露出する操作部と、操作部からケース体内に突出する軸部とを有しており、ケース体の内部には駆動体が配置されている。
【０００４】
ケース体の内部に配置される駆動体は、軸部が挿通され所定の一直線方向に沿う方向に形成された開口部を有し、操作体が一直線方向に移動するのに伴い、軸部が開口部内を移動自在とされると共に、軸部は一直線方向の所定位置にあるときに駆動体と係合する係合部を有している。そして、軸部が所定位置で回転すると、駆動体を回動させ、複数の電気部品は、一部が操作体の一直線方向の移動に伴い駆動される直線方向検出部を構成し、残りの一部が操作体の回動に伴い回転駆動される駆動体の回動を検出する回転検出部を構成する。
【０００５】
この多方向操作部品によれば、操作体を直線移動させることにより、直線方向検出部が駆動されて移動を検出し、操作体を回転動作させることにより、駆動体を介して回転検出部が駆動されて移動を検出することができる。
【先行技術文献】
【特許文献】
【０００６】
【特許文献１】特開２００９−４１４０号公報
【発明の概要】
【発明が解決しようとする課題】
【０００７】
従来の多方向操作部品は、部品点数が多く、特に操作体の水平方向の動作を垂直方向の動作に変換してスイッチを駆動するようにしていたため、厚み方向に部品が複数配置されると共に、スイッチを駆動するためのストロークも必要となり、厚み方向の小型化が困難であった。
【０００８】
本発明は前記課題を鑑みてなされたものであり、直線方向と回転方向の両方に操作可能でかつ厚み方向の小型化を図ることのできる多方向操作部品を提供することを目的とする。
【課題を解決するための手段】
【０００９】
前記課題を解決するため、本発明に係る多方向操作部品は、箱状のケース体と、該ケース体に対し所定方向に直線移動自在でかつ軸周りに回転可能な操作体と、前記ケース体内に納められ前記操作体の操作に伴って駆動される複数の接点部品とを有する多方向操作部品において、
前記ケース体は、前記操作体の操作方向にそれぞれ対応して設けられる接点部を上面に有する下ケースと、該下ケースを覆うと共に前記操作体を上面に載置する上ケースとからなり、
前記操作体は上方に突出する操作部と、前記上ケースの上面に当接する直線駆動押圧部と、前記操作部に挿通され前記直線駆動係合部の上面側に設けられる回転体に係合する係合部とを有し、前記回転体は前記操作部の回転に伴い揺動する回転駆動押圧部と、前記操作部が挿通され前記回転駆動押圧部による押圧方向に沿うように形成された開口部とを有し、
前記ケース体の内部には、前記操作体の直線移動方向にそれぞれ対応し該直線移動方向の駆動により平行にスライドする直線駆動スライダーと、前記操作体の回転動作方向にそれぞれ対応し該回転動作方向の駆動によりスライドする回転駆動スライダーと、前記直線駆動スライダー及び回転駆動スライダーと共にスライドする駆動体と、該駆動体のスライドによって揺動駆動され前記下ケースの接点部の状態を切替える前記接点部品とが設けられ、
前記直線駆動スライダーは前記上ケースの上面から突出して前記直線駆動押圧部に当接することで、前記操作体の直線移動に伴いスライド自在とされ、前記回転駆動スライダーは前記上ケースの上面から突出して前記回転駆動押圧部に当接することで、前記操作体の回転動作に伴いスライド自在とされることを特徴として構成されている。
【００１０】
また、本発明に係る多方向操作部品は、前記接点部品はシーソー状に揺動自在となるように前記下ケースに保持されてなることを特徴として構成されている。
【００１１】
さらに、本発明に係る多方向操作部品は、前記駆動体は前記直線移動スライダーまたは回転動作スライダーに対して弾性体を介して前記接点部品側に付勢され、該接点部品は上面の中央領域に前記直線移動スライダーまたは回転動作スライダー側に突出する突部を有してなり、前記駆動体は前記直線移動スライダーまたは回転動作スライダーのスライドに伴い、前記接点部品の突部に沿って摺動し揺動駆動することを特徴として構成されている。
【００１２】
さらにまた、本発明に係る多方向操作部品は、前記直線駆動スライダーは前記ケース体の内部でスライドする直線操作スライド部と、該直線操作スライド部に凸状に形成され前記上ケースの上面から突出する直線操作被押圧部とを備え、前記操作体の直線駆動押圧部は前記直線操作被押圧部の上端部を保持固定する保持部を有することを特徴として構成されている。
【００１３】
そして、本発明に係る多方向操作部品は、前記回転駆動スライダーは前記ケース体の内部でスライドする回転操作スライド部と、該回転操作スライド部に凸状に形成され前記上ケースの上面から突出する回転操作被押圧部とを備え、該回転操作被押圧部は前記直線操作被押圧部よりも高く突出して、前記回転体の回転駆動押圧部に当接することを特徴として構成されている。
【発明の効果】
【００１４】
本発明に係る多方向操作部品によれば、ケース体は、操作体の操作方向にそれぞれ対応して設けられる接点部を上面に有する下ケースと、下ケースを覆う上ケースとからなり、操作体は上ケースの上面に当接する直線駆動押圧部と、操作部に挿通され直線駆動係合部の上面側に設けられる回転体に係合する係合部とを有し、回転体は操作部の回転に伴い揺動する回転駆動押圧部と、操作部が挿通され回転駆動押圧部による押圧方向に沿うように形成された開口部とを有し、ケース体の内部には、操作体の直線移動方向にそれぞれ対応し該直線移動方向の駆動により平行にスライドする直線駆動スライダーと、操作体の回転動作方向にそれぞれ対応し該回転動作方向の駆動によりスライドする回転駆動スライダーと、直線駆動スライダー及び回転駆動スライダーと共にスライドする駆動体と、駆動体のスライドによって揺動駆動され下ケースの接点部の状態を切替える接点部品とが設けられ、直線駆動スライダーは上ケースの上面から突出して直線駆動押圧部に当接することで、操作体の直線移動に伴いスライド自在とされ、回転駆動スライダーは上ケースの上面から突出して回転駆動押圧部に当接することで、操作体の回転動作に伴いスライド自在とされることにより、いずれも横方向のスライド動作をそのまま接点部の切替に用いるようにしたので、横方向動作を縦方向動作に切り替える必要がなく、多方向操作部品の薄型化を図ることができる。
【００１５】
また、本発明に係る多方向操作部品によれば、接点部品はシーソー状に揺動自在となるように下ケースに保持されてなることにより、横方向のスライド動作により容易に接点部に対する接触状態を切り替えることができ、簡易な部品で切替動作をなすことができる。
【００１６】
さらに、本発明に係る多方向操作部品によれば、駆動体は直線移動スライダーまたは回転動作スライダーに対して弾性体を介して接点部品側に付勢され、接点部品は上面の中央領域に直線移動スライダーまたは回転動作スライダー側に突出する突部を有してなり、駆動体は直線移動スライダーまたは回転動作スライダーのスライドに伴い、接点部品の突部に沿って摺動し揺動駆動することにより、弾性部材による付勢によって操作に重みの感触を持たせることができ、さらに突部によってクリック感触も付与することができる。
【００１７】
さらにまた、本発明に係る多方向操作部品によれば、直線駆動スライダーはケース体の内部でスライドする直線操作スライド部と、直線操作スライド部に凸状に形成され上ケースの上面から突出する直線操作被押圧部とを備え、操作体の直線駆動押圧部は直線操作被押圧部の上端部を保持固定する保持部を有することにより、操作体で直線駆動スライダーを保持して駆動することができ、確実な直線スライド駆動をなすことができる。
【００１８】
そして、本発明に係る多方向操作部品によれば、回転駆動スライダーはケース体の内部でスライドする回転操作スライド部と、回転操作スライド部に凸状に形成され上ケースの上面から突出する回転操作被押圧部とを備え、回転操作被押圧部は直線操作被押圧部よりも高く突出して、回転体の回転駆動押圧部に当接することにより、回転体の回動により回転駆動スライダーを確実に駆動することができる。
【図面の簡単な説明】
【００１９】
【図１】本実施形態における多方向操作部品の斜視図である。
【図２】多方向操作部品の分解斜視図である。
【図３】カバー体を除いた多方向操作部品の平面図である。
【図４】カバー体及び回転体を除いた多方向操作部品の平面図である。
【図５】図３のＡ−Ａ断面図である。
【発明を実施するための形態】
【００２０】
本発明の実施形態について図面に沿って詳細に説明する。図１には、本実施形態における多方向操作部品の斜視図を示している。本実施形態の多方向操作部品は、箱状に形成されてなるケース体１内にスイッチ等の各種部品が納められ、ケース体１はカバー体６によって覆われると共に、ケース体１を覆うカバー体６からは操作体４が突出して、この操作体４がケース体１に対して、Ｘ方向とＹ方向の２方向に直線移動可能とされると共に、直線移動の中立位置において左右方向にそれぞれ回転動作可能とされてなるものである。
【００２１】
図２には、多方向操作部品の分解斜視図を示している。この図に示すように、ケース体１は上ケース２と下ケース３の二部材からなり、操作体４は上ケース２の上面２ａ上に載置される。操作体４は、上方に突出する操作部２０と、操作部２０の下端部から四方に伸びる枠状の直線駆動押圧部２２を有している。
【００２２】
操作体４の上面側には、板状の回転体５が設けられる。回転体５は、操作体４の操作部２０が挿通される開口部２５を有し、またＹ方向一方側に突出する回転駆動押圧部２６が形成されている。開口部２５は、Ｘ方向に沿って操作部２０がスライド自在となるように形成されている。
【００２３】
操作体４は、回転体５の開口部２５に係合する係合部２１を備えている。係合部２１は、操作体４をＸ方向に移動させる際には、開口部２５内をスライドするので、このとき回転体５は動作しない。一方、操作体４をＹ方向に移動させる際には、開口部２５に係合した係合部２１によって、回転体５は操作体４と共にＹ方向に移動する。また、操作体４を回転させた場合には、開口部２５に係合した係合部２１によって、回転体５は操作体４と共に回転動作する。
【００２４】
より詳細には、操作体４と回転体５の関係は以下のように構成されている。回転体５に形成された開口部２５のＸ方向の長さは、係合部２１の左右方向の長さと操作体４のＸ方向スライド量とを合わせた長さに対し同等かそれ以上長いため、Ｘ方向の操作時において、回転体５は操作体４のＸ方向への移動の影響を受けず、動作しない。
【００２５】
また、操作体４に形成された係合部２１の両端部２１ａ、２１ｂは、回転体５に形成された開口部２５の端部２５ａ、２５ｂに係止されており、開口部の端部２５ａ、２５ｂのＹ方向の幅は、係合部端部２１ａ、２１ｂのＹ方向の幅に対し、ほぼ同等とされている。すなわち、このクリアランス量が、操作体４のＹ方向のスライド量より十分小さいものであるため、Ｙ方向での操作時において、回転体５は操作体４と共にＹ方向に移動する。
【００２６】
操作体４の回転について、操作体４のＸ方向の中心線と、操作体４のＹ方向の中心線との交点が、操作部２０の頂部２０ａの中心位置と略同一であり、操作体４を回転操作すると、該交点もしくはその近傍を中心として回転動作する。
【００２７】
ケース体１内には、操作体４によってスライド駆動される直線移動スライダー３０ａ〜３０ｄと、回転体５によってスライド駆動される回転移動スライダー３５ａ、３５ｂとが、それぞれ操作体４の移動方向と平行な方向にスライド自在となるように設けられている。直線移動スライダー３０ａ〜３０ｄは、操作体４のＸ方向及びＹ方向の各移動方向に対応して４つが設けられ、回転移動スライダー３５ａ、３５ｂは、操作体４の左右回転の各移動方向に対応して２つが設けられる。
【００２８】
直線移動スライダー３０ａ〜３０ｄは、ケース体１内でスライド移動する直線操作スライド部３１と、直線操作スライド部３１から突状に形成されて上ケース２から突出する直線操作被押圧部３２とからなっている。また、回転移動スライダー３５ａ、３５ｂは、ケース体１内でスライド移動する回転操作スライド部３６と、回転操作スライド部３６から突状に形成されて上ケース２から突出する回転操作被押圧部３７とからなっている。
【００２９】
ケース体１を構成する上ケース２には、上面２ａに直線操作被押圧部３２と回転操作被押圧部３７を挿通させる複数の開口部が形成されている。具体的には、操作体４のＹ方向一方側操作に対応した直線操作被押圧部３２を挿通させる第１開口部１２と、操作体４のＹ方向他方側操作に対応した直線操作被押圧部３２を挿通させる第２開口部１３と、操作体４のＸ方向一方側操作に対応した直線操作被押圧部３２を挿通させる第３開口部１４と、操作体４のＸ方向他方側操作に対応した直線操作被押圧部３２を挿通させる第４開口部１５と、操作体４の右回転操作に対応した回転操作被押圧部３７を挿通させる第５開口部１６と、操作体４の左回転操作に対応した回転操作被押圧部３７を挿通させる第６開口部１７とを有している。
【００３０】
操作体４の直線駆動押圧部２２は、上ケース２から突出した直線操作被押圧部３２の上端部に当接し保持する枠形状が、操作方向に対応して操作部２０の下端部四方に形成されている。また、回転体５の回転駆動押圧部２６は、上ケース２から突出し直線操作被押圧部３２よりも高く形成されたＸ方向両側の回転操作被押圧部３７に対して、両側がそれぞれ当接する幅を有するように形成される。
【００３１】
ケース体１内には、直線移動スライダー３０ａ〜３０ｄと回転移動スライダー３５ａ、３５ｂのそれぞれ下端部から内部に挿入される弾性体９と、弾性体９の先端部に取付けられる小片状の駆動体７と、下ケース３内に納められてシーソー状に揺動する複数の接点部品８が納められる。弾性体９は、駆動体７を介して接点部品８を常時押圧した状態となり、その反力により直線移動スライダー３０ａ〜３０ｄ及び回転移動スライダー３５ａ、３５ｂを、操作体４の中立位置側に付勢する。したがって、操作体４をいずれかの方向に操作して手を離すと、弾性体９の付勢力によって、直線移動スライダー３０ａ〜３０ｄまたは回転移動スライダー３５ａ、３５ｂは元の位置に戻る。すなわち、操作体４を元の位置に自動的に復帰させることができる。
【００３２】
ケース体１を構成する下ケース３は、接点部品８を揺動自在に保持する接点収納部１０を複数有している。接点収納部１０の底面には、それぞれ接点部１１が埋設形成されている。接点部１１は、接点部品８の揺動に伴って接続状態が切り替わるように、３つの接点を並設して露出するようにされている。
【００３３】
接点部品８は、揺動の前後において中央の接点には共通して接触し、揺動前に一端側の接点に対して接触し、揺動後に他端側の接点に対して接触する。すなわち、揺動前の状態において接点部品８は、一端側の接点と中央の接点を導通状態とし、揺動後の状態において接点部品８は、他端側の接点と中央の接点を導通状態とする。
【００３４】
図３には、カバー体６を除いた多方向操作部品の平面図を示している。この図に示すように、回転体５の開口部２５は、操作体４の操作部２０を挿通させることのできる大きさに形成されると共に、操作部２０をＸ方向に直線移動させた場合に、操作部２０と干渉しないように、Ｘ方向に沿って細長く形成されている。一方、操作体４に形成された係合部２１は、回転体５の開口部２５に係合している。したがって、操作体４を回転操作すると、回転体５もそれに伴って回転する。
【００３５】
回転体５の回転駆動押圧部２６は、上ケース２の第５開口部１６及び第６開口部１７から突出する回転操作被押圧部３７に対して、両側面がそれぞれ隣接した状態となっている。操作体４の回転操作に伴って回転体５が回転すると、回転駆動押圧部２６はいずれかの回転操作被押圧部３７を押圧駆動し、当該回転操作被押圧部３７を有するケース体１内の回転駆動スライダー３５ａ、３５ｂがスライドされる。
【００３６】
図４には、カバー体６及び回転体５を除いた多方向操作部品の平面図を示している。この図に示すように、操作体４の直線駆動押圧部２２は、各保持部２２ａにおいて上ケース２の第１開口部１２、第２開口部１３、第３開口部１４及び第４開口部１５から突出する直線操作被押圧部３２を保持している。一方で、Ｘ方向両側の保持部２２ａはＹ方向に縦長状となるように形成され、Ｙ方向両側の保持部２２ａはＸ方向に縦長状となるように形成されている。
【００３７】
これにより、操作体４をＸ方向に直線操作すると、直線駆動押圧部２２はＸ方向両側の保持部２２ａによって、これらに保持された直線操作被押圧部３２を押圧駆動し、当該直線操作被押圧部３２を有するケース体１内の直線駆動スライダー３０ｃ、３０ｄがスライドされる。一方で、Ｙ方向両側の保持部２２ａは、これらに保持された直線操作被押圧部３２を押圧しないので、当該直線操作被押圧部３２を有する直線駆動スライダー３０ａ、３０ｂはスライドされないこととなる。
【００３８】
操作体４をＹ方向に直線操作すると、直線駆動押圧部２２はＹ方向両側の保持部２２ａによって、これらに保持された直線操作被押圧部３２を押圧駆動し、当該直線操作被押圧部３２を有するケース体１内の直線駆動スライダー３０ａ、３０ｂがスライドされる。一方で、Ｘ方向両側の保持部２２ａはこれらに保持された直線操作被押圧部３２を押圧しないので、当該直線操作被押圧部３２を有する直線駆動スライダー３０ｃ、３０ｄはスライドされないこととなる。
【００３９】
つまり、操作体４をＸ方向に直線操作すると、Ｘ方向両側に対応して配置された直線駆動スライダー３０ｃ、３０ｄのみがいずれも同じ方向にスライド駆動され、操作体４をＹ方向に直線操作すると、Ｙ方向両側に対応して配置された直線駆動スライダー３０ａ、３０ｂのみがいずれも同じ方向にスライド駆動される。なお、操作体４をＸ方向に直線操作した場合には、前述のように操作体４は回転体５と干渉することなく開口部２５を移動することができるため、回転駆動スライダー３５ａ、３５ｂが駆動されることはない。また、操作体４をＹ方向に直線操作した場合には、回転体５は操作体４と共にＹ方向に移動するが、この場合も回転駆動スライダー３５ａ、３５ｂには影響を与えず、これらを駆動することもない。
【００４０】
次に、操作体４を駆動したときの接点の切替動作について説明する。図５には、図４のＡ−Ａ断面図を示している。この図は、操作体４がＸ方向及びＹ方向の中立位置にある状態を示している。図５に示すように、直線駆動スライダー３０ａ、３０ｂは、上端部が操作体４の直線駆動押圧部２２に保持され、操作体４がＹ方向に操作されることにより、当該方向にスライドする。この図においてＹ方向両側の直線駆動スライダー３０ａ、３０ｂは、それぞれ操作体４のＹ方向操作に対応してスライド駆動されるものである。
【００４１】
直線駆動スライダー３０ａ、３０ｂは、断面形状において下方開放状のハット形状を有してなり、内部には弾性体９を保持している。また、弾性体９の下端部には、駆動体７が保持されていて、下ケース３内に納められている接点部品８に対して弾接した状態となっている。
【００４２】
接点部品８は、接点収納部１０の底面に並設配置された３つの接点部１１のうち、中央の接点部１１ｂに接触すると共に、Ｙ方向両側の接点部１１ａ、１１ｃのいずれかに接触している。接点部品８には、中央部に直線駆動スライダー３０側に向かって突出する突部８ａが形成されており、この突部８ａの下面側で中央の接点部１１ｂに接触し、両端部でＹ方向両側部の接点部１１ａ、１１ｃのいずれかに接触する。駆動体７は、弾性体９により下方に付勢されており、接点部品８の突部８ａに隣接しているため、操作体４をスライドさせるまでは安定的に接点部品８が接点部１１に接触した状態となる。
【００４３】
ここで、操作体４を図５のＹ方向他方側に移動させたとすると、Ｙ方向両側の直線駆動スライダー３０ａ、３０ｂは、いずれもＹ方向他方側にスライドすることとなる。Ｙ方向他方側の駆動体７は、直線駆動スライダー３０ｂによってＹ方向他方側に移動され、接点部品８の突部８ａに乗り上げながら、接点部品８を反対側に揺動させる。このとき、駆動体７は弾性体９による付勢に対抗して上方にも移動することとなり、操作に重みの感触を付与することができる。
【００４４】
操作体４を操作可能なＹ方向他方端部までスライドさせた状態において、駆動体７は接点部品８の突部８ａの突端付近に位置し、このとき接点部品８はＹ方向一方側の接点部１１ｃから離れて、中央の接点部１１ｂとＹ方向他方側の接点部１１ａに接触した状態となる。この接点部品８の接点部１１に対する接触状態の切替は、駆動体７が所定の位置に到達したときに遷移的に生じるため、操作に対してクリック感触を付与することができる。
【００４５】
なお、この場合においてＹ方向一方側の駆動体７は、接点部品８の略水平な部分をスライドするだけであるため、接点部品８の接点部１１に対する接触状態に影響を与えない。逆に、操作体４を図５のＹ方向一方側に移動させたとすると、Ｙ方向一方側の直線駆動スライダー３０及び駆動体７によって、Ｙ方向一方側の接点部品８の接点部１１に対する接触状態が切り替わることとなる。
【００４６】
ここでは、操作体４のＹ方向操作について説明したが、操作体４のＸ方向操作についても、同様の構成により対応する接点部品８が揺動駆動されて、接点部１１に対する接触状態が切り替わる。また、操作体４の回転方向についても、直線駆動スライダー３０と回転駆動スライダー３５が異なるだけで、駆動体７及び接点部品８のスライド駆動は同様の構成からなり、接点部品８が揺動駆動されることで接点部１１に対する接触状態が切り替わる。
【００４７】
操作体４の操作に伴い変化する接点部品８の接点部１１に対する接触状態を検出することにより、操作体４の操作を検出することができ、図示しない出力端子から所定の信号が出力される。
【００４８】
このように、操作体４のＸ方向とＹ方向及び左右回転方向の操作について、いずれも横方向のスライド動作をそのまま接点部１１の切替に用いるようにしたので、横方向動作を縦方向動作に切り替える必要がなく、多方向操作部品の薄型化を図ることができる。また、接点部１１及び接点部品８を下ケース３内に納めるようにしたので、部品をコンパクト化してさらなる薄型化も図ることができる。
【００４９】
以上、本発明の実施形態について説明したが、本発明の適用は本実施形態には限られず、その技術的思想の範囲内において様々に適用されうるものである。
【符号の説明】
【００５０】
１    ケース体
２    上ケース
３    下ケース
４    操作体
５    回転体
６    カバー体
７    駆動体
８    接点部品
８ａ  突部
９    弾性体
１０    接点収納部
１１    接点部
２０    操作部
２１    係合部
２２    直線駆動押圧部
２５    開口部
２６    回転駆動押圧部
３０    直線駆動スライダー
３１    直線操作スライド部
３２    直線操作被押圧部
３５    回転駆動スライダー
３６    回転操作スライド部
３７    回転操作被押圧部
【図１】
2010232140.tif 000003
【図２】
2010232140.tif 000004
【図３】
2010232140.tif 000005
【図４】
2010232140.tif 000006
【図５】
2010232140.tif 000007